(57)【要約】【課題】  画像データの画素数に拘わらず、高画質の写真プリントの作成を行う。【解決手段】  メディアドライブによって読み出された画像データファイルに係る画像の画素数が、顧客によって選択されたプリントサイズの写真プリントを作成するのに適するか否かが判断される。そして、画像の画素数が、顧客によって選択されたプリントサイズの写真プリントの作成に適さない画像に関しては、これらの複数の画像がこのプリントサイズの領域内に配置された写真プリントが作成される。【選択図】図１４
2006310956.tif 000002
【特許請求の範囲】
【請求項１】
写真プリントの注文を受け付け、写真プリントを作成するプリントシステムにおいて、
記録媒体に記録された複数の画像データファイルを読み出すための読み出し部と、
受け付けた注文対象画像の画素数が、指定されたプリントサイズの写真プリントの作成に適するか否かを判断する判断手段と、
受け付けた注文対象画像であり、且つ、前記判断手段において前記プリントサイズの写真プリントの作成に適さないと判断された画素数を有する画像を前記プリントサイズの領域内に複数配置する画像配置手段と、
前記画像配置手段によって配置された複数の画像に係る画像データファイルを合成し、前記プリントサイズに対応した合成画像データを作成する合成画像データ作成手段とを備えていることを特徴とするプリントシステム。
【請求項２】
写真プリントの作成に適する画素数の適正範囲を複数種類のプリントサイズ毎に記憶する適正画素数記憶手段をさらに備えており、
前記判断手段は、受け付けた注文対象画像の画素数が前記プリントサイズに対応した画素数の適正範囲内である場合に、その画素数が前記プリントサイズの写真プリントの作成に適すると判断することを特徴とする請求項１に記載のプリントシステム。
【請求項３】
前記判断手段において前記プリントサイズの写真プリントの作成に適さないと判断された画素数が、写真プリントの作成に適する画素数の適正範囲内にあるプリントサイズを複数種類のプリントサイズの中から決定するプリントサイズ決定手段をさらに備えており、
前記画像配置手段は、受け付けた注文対象画像であり、且つ、前記判断手段において前記プリントサイズの写真プリントの作成に適さないと判断された画素数を有する画像を、前記プリントサイズ決定手段によって決定されたプリントサイズに対応した大きさで前記プリントサイズの領域内に配置することを特徴とする請求項２に記載のプリントシステム。
【請求項４】
前記画像配置手段による複数の画像の配置をディスプレイに表示させる画像配置表示制御手段をさらに備えていることを特徴とする請求項１〜３のいずれか１項に記載のプリントシステム。
【請求項５】
写真プリントの注文を受け付けるプリント注文受付装置において、
記録媒体に記録された複数の画像データファイルを読み出すための読み出し部と、
受け付けた注文対象画像の画素数が、指定された前記プリントサイズの写真プリントの作成に適するか否かを判断する判断手段と、
受け付けた注文対象画像であり、且つ、前記判断手段において前記プリントサイズの写真プリントの作成に適さないと判断された画素数を有する画像を前記プリントサイズの領域内に複数配置する画像配置手段と、
前記画像配置手段によって配置された複数の画像に係る画像データファイルを合成し、前記プリントサイズに対応した合成画像データを作成する合成画像データ作成手段とを備えていることを特徴とするプリント注文受付装置。
【請求項６】
写真プリントの作成に適する画素数の適正範囲を複数種類のプリントサイズ毎に記憶する適正画素数記憶手段をさらに備えており、
前記判断手段は、受け付けた注文対象画像の画素数が、指定された前記プリントサイズに対応した画素数の適正範囲内である場合に、その画素数が前記プリントサイズの写真プリントの作成に適すると判断することを特徴とする請求項５に記載のプリント注文受付装置。
【請求項７】
前記判断手段において前記プリントサイズの写真プリントの作成に適さないと判断された画素数が、写真プリントの作成に適する画素数の適正範囲内にあるプリントサイズを複数種類のプリントサイズの中から決定するプリントサイズ決定手段をさらに備えており、
前記画像配置手段は、受け付けた注文対象画像であり、且つ、前記判断手段において前記プリントサイズの写真プリントの作成に適さないと判断された画素数を有する画像を、前記プリントサイズ決定手段によって決定されたプリントサイズに対応した大きさで前記プリントサイズの領域内に配置することを特徴とする請求項６に記載のプリント注文受付装置。
【請求項８】
前記画像配置手段による複数の画像の配置をディスプレイに表示させる画像配置表示制御手段をさらに備えていることを特徴とする請求項５〜７のいずれか１項に記載のプリント注文受付装置。
【発明の詳細な説明】
【技術分野】
【０００１】
本発明は、顧客から写真プリントの注文を受け付けるプリントシステム及びプリント注文受付装置に関するものである。
【背景技術】
【０００２】
近年のデジタルカメラの普及に伴い、デジタルカメラで撮影された画像データを、従来からの写真処理装置を用いて銀塩印画紙等に対して高い品質でプリントする要望が高まっている。従って、デジタルカメラで撮影された画像に基づいて写真プリントを作成するサービスが一般的に行われている（例えば、特許文献１参照）。ここで、デジタルカメラには多種多様な機種があり、この機種毎に撮影された画像データの画素数は異なる場合が多い。近年では、高画質の写真プリントを作成可能な３００万画素を超えるデジタルカメラが増加しているが、画素数は非常に少ないが低価格のデジタルカメラも存在する。従って、顧客は、１つのメディアに混在した状態で保存された非常に多い画素数の画像データ及び非常に少ない画素数の画像データに基づいて写真プリントの注文を行う場合がある。
【特許文献１】特開２００３−７５９３０号公報（図１）
【発明の開示】
【発明が解決しようとする課題】
【０００３】
ここで、非常に少ない画素数の画像データに基づいて、大きなプリントサイズの写真プリントを作成した場合には、そのプリントサイズに対して画素数が少ないために、写真プリントの画像の品質が低下するという問題が発生する。このような問題を解消するためには、顧客によって選択されたプリントサイズの写真プリントの作成に適さない画素数の画像データに係る画像に関しては、注文画面に表示しないことによって、これらの画像のプリント注文を受け付けないことが考えられる。しかしながら、この場合には、再度、これらの画像に対してプリントサイズの選択を行う必要があり、これらの画像の画素数の画像データに適するプリントサイズが選択されるまでは、写真プリントを作成することができない。
【０００４】
そこで、本発明の目的は、画像データの画素数に拘わらず、高画質の写真プリントの作成を行うことができるプリントシステム及びプリント注文受付装置を提供することである。
【課題を解決するための手段および発明の効果】
【０００５】
本発明のプリントシステムは、写真プリントの注文を受け付け、写真プリントを作成するプリントシステムにおいて、記録媒体に記録された複数の画像データファイルを読み出すための読み出し部と、受け付けた注文対象画像の画素数が、指定されたプリントサイズの写真プリントの作成に適するか否かを判断する判断手段と、受け付けた注文対象画像であり、且つ、前記判断手段において前記プリントサイズの写真プリントの作成に適さないと判断された画素数を有する画像を前記プリントサイズの領域内に複数配置する画像配置手段と、前記画像配置手段によって配置された複数の画像に係る画像データファイルを合成し、前記プリントサイズに対応した合成画像データを作成する合成画像データ作成手段とを備えている。
【０００６】
本発明のプリント注文受付装置は、写真プリントの注文を受け付けるプリント注文受付装置において、記録媒体に記録された複数の画像データファイルを読み出すための読み出し部と、受け付けた注文対象画像の画素数が、指定された前記プリントサイズの写真プリントの作成に適するか否かを判断する判断手段と、受け付けた注文対象画像であり、且つ、前記判断手段において前記プリントサイズの写真プリントの作成に適さないと判断された画素数を有する画像を前記プリントサイズの領域内に複数配置する画像配置手段と、前記画像配置手段によって配置された複数の画像に係る画像データファイルを合成し、前記プリントサイズに対応した合成画像データを作成する合成画像データ作成手段とを備えている。
【０００７】
この構成によると、画像データファイルに係る画像の画素数が指定されたプリントサイズの写真プリントの作成に適さない場合には、これらの複数の画像が指定されたプリントサイズの領域内に配置された写真プリントが作成される。そのため、指定されたプリントサイズに対して非常に少ない画素数の画像に関しても、高画質の写真プリントの作成が行われる。また、画素数が少ない画像に対して、再度、プリントサイズの選択をやり直す必要がない。
【０００８】
本発明のプリントシステムにおいて、写真プリントの作成に適する画素数の適正範囲を複数種類のプリントサイズ毎に記憶する適正画素数記憶手段をさらに備えており、前記判断手段は、受け付けた注文対象画像の画素数が前記プリントサイズに対応した画素数の適正範囲内である場合に、その画素数が前記プリントサイズの写真プリントの作成に適すると判断することが好ましい。
【０００９】
本発明のプリント注文受付装置において、写真プリントの作成に適する画素数の適正範囲を複数種類のプリントサイズ毎に記憶する適正画素数記憶手段をさらに備えており、前記判断手段は、受け付けた注文対象画像の画素数が、指定された前記プリントサイズに対応した画素数の適正範囲内である場合に、その画素数が前記プリントサイズの写真プリントの作成に適すると判断することが好ましい。
【００１０】
この構成によると、各画像の画素数が指定されたプリントサイズの写真プリントの作成に適するか否かを容易に判断することができる。
【００１１】
本発明のプリントシステムにおいて、前記判断手段において前記プリントサイズの写真プリントの作成に適さないと判断された画素数が、写真プリントの作成に適する画素数の適正範囲内にあるプリントサイズを複数種類のプリントサイズの中から決定するプリントサイズ決定手段をさらに備えており、前記画像配置手段は、受け付けた注文対象画像であり、且つ、前記判断手段において前記プリントサイズの写真プリントの作成に適さないと判断された画素数を有する画像を、前記プリントサイズ決定手段によって決定されたプリントサイズに対応した大きさで前記プリントサイズの領域内に配置することが好ましい。
【００１２】
本発明のプリント注文受付装置において、前記判断手段において前記プリントサイズの写真プリントの作成に適さないと判断された画素数が、写真プリントの作成に適する画素数の適正範囲内にあるプリントサイズを複数種類のプリントサイズの中から決定するプリントサイズ決定手段をさらに備えており、前記画像配置手段は、受け付けた注文対象画像であり、且つ、前記判断手段において前記プリントサイズの写真プリントの作成に適さないと判断された画素数を有する画像を、前記プリントサイズ決定手段によって決定されたプリントサイズに対応した大きさで前記プリントサイズの領域内に配置することが好ましい。
【００１３】
この構成によると、指定されたプリントサイズの写真プリントの作成に適さない画素数の画像に関して、適正なプリントサイズが自動的に決定されるので、これらの画像の品質が低下するのを防止することができる。
【００１４】
本発明のプリントシステムにおいて、前記画像配置手段による複数の画像の配置をディスプレイに表示させる画像配置表示制御手段をさらに備えていることが好ましい。
【００１５】
本発明のプリント注文受付装置において、前記画像配置手段による複数の画像の配置をディスプレイに表示させる画像配置表示制御手段をさらに備えていることが好ましい。
【００１６】
この構成によると、完成した写真プリントにおける画像の配置をあらかじめ確認することができる。
【発明を実施するための最良の形態】
【００１７】
以下、本発明の好適な実施の形態について、図面を参照しつつ説明する。図１は、本発明の実施の形態に係るプリント注文受付装置を含むデジタル画像処理システムの外観斜視図である。図２は、図１に示すデジタル画像処理システムの構成を示す図である。
【００１８】
〔デジタル画像処理システム〕
図１に示すデジタル画像処理システムは、複数のプリント注文受付装置Ｒ（以下、受付装置Ｒと略称する）と、銀塩式の印画紙１に画像データのプリントを行うデジタル型の写真処理装置Ｐと、これらの間で情報のアクセスを行う通信ネットワークＮ（図２参照）とを備えている。
【００１９】
デジタル画像処理システムは、写真店に設置されるのが一般的であり、このシステムでは、デジタルカメラで撮影された画像データを保存したスマートメディアＳＭ、コンパクトフラッシュ（登録商標）ＣＦ、メモリスティックＭＳ、ＰＣカードＰＣ−Ｃや、画像データを保存したＣＤ−ＲＯＭ、ＭＯ等の記録媒体（以下、これらをメディアＭと総称する）からの画像データに基づくプリント注文を受付装置Ｒで受付けることができる。
【００２０】
また、このシステムでは、この受付時に発行される受付証ｒｅ（図１８参照）を顧客が図１に示すサービスカウンターＣで写真店の担当者に提示することにより、その担当者が受付証ｒｅにプリントされた情報に基づき、完成した写真プリントを受付証ｒｅを提示した顧客に対して代金と引き換えに手渡す処理が行われる。
【００２１】
〔写真処理装置Ｐ〕
まず、写真処理装置Ｐの構成について、図１及び図２を参照して説明する。写真処理装置Ｐは、テーブル上に配置されたオペレート部Ｐｏと現像処理部Ｐｄとが一体化された装置本体と、この装置本体から分離した位置のスキャナユニットＰｓとを備えている。
【００２２】
オペレート部Ｐｏには、印画紙マガジン５からの印画紙１をプリントサイズに切断してデジタル型の露光ヘッド６に供給する露光系が内装されている。また、オペレート部Ｐｏは、ＣＤ−ＲＯＭまたはＤＶＤからの情報の読出し、及び、ＣＤ−Ｒに対する情報の書き込みを行うコンボドライブ１０と、スマートメディアＳＭ、コンパクトフラッシュ（登録商標）ＣＦ及びＭＯ等の各種メディアに対応した複数のマルチドライブ１１と、画像データや各種情報の表示を行うディスプレイ１２と、キーボード１３と、マウス１４と、マイクロプロセッサを有する制御部１５を備えている。
【００２３】
制御部１５は、汎用コンピュータを用いて構成されており、各種のソフトウエアの作動が可能になっている。制御部１５は、画像処理ソフトによって、スキャナユニットＰｓでデジタル信号化された画像データの補正や、必要な場合には画像データのトリミングを行い、この処理の結果を制御部１５の半導体メモリやハードディスクに保存し、印画紙１に対する画像データの露光時に露光ヘッド６に転送することができる。
【００２４】
また、現像処理部Ｐｄには、露光ヘッド６で露光された印画紙１の現像処理を行う現像処理槽７が内装されている。現像処理部Ｐｄでは、現像処理槽７で現像処理が行われた印画紙１が、乾燥された後で、現像処理部Ｐｄの上面の横送りコンベア８に送出される。そして、横送りコンベア８からの印画紙１が仕分けコンベア９に送出される。
【００２５】
スキャナユニットＰｓは、底部にキャスタを備えた筐体１７の上面に対して交換自在にフィルムキャリア１８を備えると共に、筐体内部に光学レンズやＣＣＤ等の光電変換素子を有する光電変換部（図示しない）を備えている。また、筐体内部に備えた光源から光ファイバーを介して送られる光線をフィルムキャリア１８の上面側に導くアーム１９を備えている。
【００２６】
そして、写真フィルム２のスキャニングを行う場合には、ネガティブフィルムまたはポジティブフィルムをフィルムキャリア１８にセットし、このフィルムキャリア１８で設定速度で移動させながらアーム１９の先端から下方に向けて照射する光線により、写真フィルム２の各コマの画像データを光電変換部でデジタル信号化し、ケーブル２０を介して制御部１５に転送し得るよう構成されている。
【００２７】
〔受付装置Ｒ〕
次に、受付装置Ｒの構成を図３を参照して説明する。受付装置Ｒは、図３に示すように、筐体２１の上面に配置され且つタッチパネル２２が形成された液晶型のディスプレイ２３と、筐体２１の前面に設けられた媒体ドライブとしての複数のメディアドライブ２４と、筐体２１の上面におけるディスプレイ２３より前面側に設けられ且つ受付証ｒｅを発行する熱転写式の受付証プリンタ２５と、筐体２１の内部に内蔵されたコントローラ２６とを備えている。なお、複数のメディアドライブ２４は、スマートメディアＳＭ、コンパクトフラッシュ（登録商標）ＣＦ、メモリスティックＭＳ、メディアＭのアタッチメントとして機能するＰＣカードＰＣ−Ｃ、ＣＤ−ＲＯＭ、ＭＯ等のそれぞれに対応している。
【００２８】
コントローラ２６は、メディアドライブ２４との情報のアクセス及びタッチパネル２２との情報のアクセスが可能であると共に、ディスプレイ２３に対する画像データの出力及び受付証プリンタ２５に対する情報の出力が可能である。また、コントローラ２６は、作業領域が形成されるＲＡＭ型の半導体メモリや、プログラムやパラメータが保存されるＲＯＭ型の半導体メモリの総称としてのメモリ（図示しない）を備えると共に、ハードウエアまたはソフトウエア、あるいは、ハードウエアとソフトウエアとの組合わせによって、画像データ記憶部８１と、パラメータ取得部８２と、画素数検知部８３と、適正画素数記憶部８４と、判断部８５と、プリントサイズ決定部８６と、画像配置部８７と、合成画像データ作成部８８と、制御部８４とが形成されている（図４参照）。
【００２９】
次に、受付装置Ｒのコントローラ２６の構成について、図４を参照して説明する。図４は、受付装置のコントローラの構成を示すブロック図である。なお、図４では、１台の受付装置Ｒだけが図示されているが、その他の受付装置Ｒにおいても同様である。
【００３０】
画像データ記憶部８１は、メディアドライブ２４によって読み出された複数の画像データファイルを記憶する。
【００３１】
パラメータ取得部８２は、メディアドライブ２４によって読み出された画像データファイルに係る画像の画素数に関するパラメータを記録媒体又は画像データファイルから取得する。例えばEXIF形式（Exchangeable Image File Format）で画像が記録されている場合、各画像の画素数に関するパラメータは、各画像データファイル内にタグ情報として記録されているので、パラメータ取得部８２は、画像データファイルから画像の画素数に関するパラメータを取得する。一方、例えばDPOF形式（Digital Print Order Format）で画像が記録されている場合、各画像の画素数に関するパラメータは、画像データファイルとは別のファイル内に記憶されているので、パラメータ取得部８２は、記録媒体から画像の画素数に関するパラメータを取得する。
【００３２】
本実施の形態では、各画像の画素数に関するパラメータが、EXIF形式の場合はタグ情報として各画像データファイル内に、またDPOF形式の場合は各画像データと対応するように記録媒体内に記録されているものとする。
【００３３】
画素数検知部８３は、パラメータ取得部８２で取得された画像の画素数に関するパラメータに基づいて、各画像データファイルに係る画像の画素数を検知する。
【００３４】
適正画素数記憶部８４は、各プリントサイズの写真プリントを作成するのに適する画素数の範囲を、プリントサイズ毎に記憶する。本実施の形態では、カードサイズ、Ｌサイズ、２Ｌサイズ、六つ切サイズのそれぞれに適正画素数の範囲が記憶されている。
【００３５】
判断部８５は、画素数検知部８３で検知された各画像の画素数が、顧客によって選択されたプリントサイズの写真プリントを作成するのに適するか否かを判断する。つまり、判断部８５では、各画像の画素数が、顧客によって選択されたプリントサイズの適正画素数の範囲にあるか否かを判断する。
【００３６】
プリントサイズ決定部８６は、判断部８５において、各画像の画素数が顧客によって選択されたプリントサイズの写真プリントを作成するのに適さないと判断された場合に、その画像の画素数が適正画素数の範囲にあるプリントサイズを自動的に決定する。ここで、本実施の形態では、その画素数が適正画素数の範囲にあるプリントサイズが複数ある場合には、プリントサイズ決定部８６は、そのなかで顧客によって選択されたプリントサイズに最も近いプリントサイズに決定する。
【００３７】
画像配置部８７は、判断部８５において、各画像の画素数が顧客によって選択されたプリントサイズの写真プリントを作成するのに適さないと判断された複数の画像を、顧客によって選択されたプリントサイズの領域内に配置する。ここで、画像配置部８７では、各画像は、プリントサイズ決定部８６で決定されたプリントサイズに対応した大きさで配置される。
【００３８】
合成画像データ作成部８８は、画像配置部８７による画像の配置に基づいて、顧客によって選択されたプリントサイズの写真プリントを作成するために、画像配置部８７で配置された複数の画像に係る画像データファイルを合成する。ここで、合成画像データ作成部８８で作成された画像データファイルは、写真処理装置に送信されるものである。
【００３９】
制御部８４は、ディスプレイ２３における表示を制御し、プリント注文が行われる際に種々の画面をディスプレイ２３に表示させる。制御部８４は、メディアドライブ２４によって読み出された画像データファイルに係る複数の画像を含む「プリント枚数設定画面」をディスプレイ２３に表示させる。また、制御部８４は、完成した写真プリントにおける画像の配置を示す「画像配置確認画面」をディスプレイ２３に表示させる。ここで、「画像配置確認画面」では、顧客によって選択されたプリントサイズの写真プリントを作成するのに適さない画素数の画像がある場合には、それらの複数の画像が顧客によって選択されたプリントサイズの領域内に配置した状態が表示される。
【００４０】
〔受付装置Ｒでの注文受付〕
次に、受付装置Ｒにおけるプリント注文の受付の手順について、図５〜図１８を参照して説明する。図５は、受付装置におけるプリント注文の受付の手順を示すフローチャートである。図６〜図１１及び図１４〜図１７は、注文受付の際に受付装置のディスプレイに表示される表示画面の一例を示す図である。図１２は、適正画素数記憶部に記憶された内容を示す図である。図１３は、画素数検知部で検知された各画像の画素数を示す図である。図１８は、受付証の一例を示す図である。
【００４１】
受付装置Ｒでは、待機状態においては、図６に示すように、受付装置Ｒの機能や写真店のロゴマーク等を含む待機画面（初期画面）が表示される（ステップＳ１）。そして、顧客が画像のプリントの注文を行う場合には、ディスプレイ２３のタッチパネル２２に指を接触させることにより、図７に示す「サービス選択画面」が表示される（ステップＳ２）。この画面には、「サービスを選択してください」とのメッセージと共に、プリントの受付を行わせるプリント受付スイッチ部４５ａと、メディア保存の受付を行わせるメディア保存受付スイッチ部４５ｂとが表示され、顧客に選択を求める。なお、メディア保存受付スイッチ部４５ｂが操作された場合には、メディアＭに保存された画像データを、写真処理装置Ｐに転送して、写真処理装置ＰにおいてＣＤ−ＲやＭＯに保存する処理が行われるが、プリントを受付ける処理と基本的に同じ処理形態であるので、詳細な説明は省略する。
【００４２】
「サービス選択画面」が表示された状態で、プリント受付スイッチ部４５ａが操作された場合には、図８に示す「メディア選択画面」が表示される（ステップＳ３）。この「メディア選択画面」には、「メディアを選択してください」とのメッセージと共に、メディアを選択する複数のスイッチ部４７が表示され、顧客に選択を求める。この「サービス選択画面」の下側には処理を中止するための中止ボタン４８と、前の処理に戻るための戻るボタン４９とが表示され、これら中止ボタン４８と戻るボタン４９とは、後述する処理においても同じ位置に表示され、操作することにより同様に機能する。
【００４３】
そして、「メディア選択画面」が表示された状態で、顧客が使用するメディアに対応するスイッチ部４７が操作された場合には、図９に示す「メディアセット案内画面」が表示される（ステップＳ４）。この画面には、「メディアをセットしてＯＫボタンを押してください」とのメッセージと共に、対応するメディアをセットする際の具体的な画像が表示される。
【００４４】
「メディアセット案内画面」にしたがってメディアＭがセットされ、顧客がＯＫボタン５０を操作することで、セットされたメディアＭから画像データが読み出されると共に、各画像の画素数に関するパラメータが取得される（ステップＳ５）。そして、セットされたメディアＭからの読み出しが完了すると、画素数検知部８３によって各画像の画素数が検知される（ステップＳ６）。
【００４５】
その後、図１０に示す「プリントサイズ選択画面」が表示される（ステップＳ７）。この画面には、「プリントサイズを選択してください」とのメッセージと共に、複数のプリントサイズに対応したサイズ指定スイッチ部５１が表示され、顧客に選択を求める。「プリントサイズ選択画面」のサイズ指定スイッチ部５１には、プリントサイズを示す「カードサイズ」、「Ｌサイズ」や「２Ｌサイズ」の文字の他に、プリントサイズを示す数値、プリントの単価及びプリントの基本料金などが表示される。
【００４６】
そして、「プリントサイズ選択画面」が表示された状態で、いずれか１つのサイズ指定スイッチ部５１が操作された場合には、判断部８５において、画素数検知部８３によって検知された各画像の画素数が、「プリントサイズ選択画面」で顧客によって選択されたプリントサイズの写真プリントを作成するのに適するか否かが判断される（ステップＳ８）。その後、図１１に示す「プリント枚数設定画面」が表示される（ステップＳ９）。
【００４７】
注文画面である「プリント枚数設定画面」では、各サムネイル画像Ｓのフレーム５４の上段に画像データを特定するファイルの名称（ファイル番号）が表示され、フレーム５４の下段にはプリント枚数を示す数値を表示する枚数表示エリア５５が設けられている。また、このプリント枚数表示エリア５５を挟む位置にプリント枚数を１枚ずつ増加させる＋ボタン５６と、プリント枚数を１枚ずつ減少させる−ボタン５６とが表示されている。また、その下方には、各画像の画素数のプリントサイズに対する適正を示す適正表示部５７が表示されている。
【００４８】
ここでは、メディアドライブ２４により８個の画像データファイルが読み出され、「プリントサイズ選択画面」で２Ｌサイズに対応したサイズ指定スイッチ部５１が操作された場合の「プリント枚数設定画面」を図１１に示す。
【００４９】
本実施の形態では、適正画素数記憶部８４には、図１２に示すように、各プリントサイズに対応した適正画素数の範囲が記憶されている。つまり、例えば、カードサイズの写真プリントを作成するための適正画素数は５０万画素未満であり、Ｌサイズまたは２Ｌサイズの写真プリントを作成するための適正画素数は５０万〜３００万画素未満である。また、画素数検知部８３には、図１３に示すように、メディアドライブ２４により読み出されたファイル番号００１〜００８の８個の画像データファイルに係る画像の画素数の検知結果が記憶されている。
【００５０】
「プリントサイズ選択画面」で２Ｌサイズのプリントサイズが選択された場合には、図１２から分かるように、適正画素数は５０万〜３００万画素未満である。従って、図１３のファイル番号００１、００２、００６、００７の４個の画像の画素数は、２Ｌサイズに対応した適正画素数の範囲にある。一方、ファイル番号００３〜００５、００８の４個の画像の画素数は、２Ｌサイズに対応した適正画素数の範囲にない。そのため、図１１の「プリントサイズ選択画面」の各フレーム５４の適正表示部５７には、ファイル番号００１、００２、００６、００７の画像に関しては、２Ｌサイズの写真プリントを作成するのに適する画素数であることを示す丸印（○印）が図示され、ファイル番号００３〜００５、００８の画像に関しては、２Ｌサイズの写真プリントを作成するのに適さない画素数であることを示すバツ印（×印）が図示されている。
【００５１】
そして、「プリント枚数設定画面」が表示された状態で、顧客によって各画像のプリント枚数が設定される。そして、プリント枚数が０でない枚数に設定された画像（プリント情報が入力された画像）であって、且つ、その画素数が顧客によって選択されたプリントサイズに適さない画像があるか否かが判断される（ステップＳ１０）。
【００５２】
ここで、顧客によって選択されたプリントサイズに適さない画像が注文された場合には（Ｓ１０：ＹＥＳ）、その画像の画素数が適するプリントサイズが決定される（ステップＳ１１）。そして、それらの画像がこのプリントサイズに対応した大きさで、顧客によって設定されたプリントサイズの領域内に配置され（ステップＳ１２）、図１４に示す「画像配置確認画面」が表示される（ステップＳ１３）。
【００５３】
本実施の形態の例では、図１１の「プリント枚数設定画面」において、ファイル番号００１〜００８の全ての画像のプリント枚数が１枚に設定されている。この中には、２Ｌサイズの写真プリントを作成するのに適さない画素数であるファイル番号００３〜００５、００８の画像が含まれている。そのため、ファイル番号００３〜００５、００８の画像に関して、それらの画素数が適するプリントサイズが決定される。ここで、図１３に示すように、ファイル番号００３〜００５、００８の画像の画素数は３５万画素であるので、カードサイズのプリントサイズに決定される。そのため、ファイル番号００３〜００５、００８の画像はカードサイズのプリントサイズに対応した大きさで、図１４の「画像配置確認画面」に示すように、
【００５４】
ここで、図１４の「画像配置確認画面」における画像の配置は、完成した写真プリントにおける画像の配置を示している。つまり、ファイル番号００１、００２、００６、００７の４個の画像に関しては、各画像を１個ずつ含む２Ｌサイズの４枚の写真プリントが作成される。一方、ファイル番号００３〜００５、００８の４個の画像に関しては、これらの４個の画像を１個ずつ含む２Ｌサイズの１枚の写真プリントが作成される。
【００５５】
そして、「画像配置確認画面」が表示された状態で、ＯＫボタン５０が操作されると、合成画像データが作成される（ステップＳ１４）。また、図１３に示す「注文内容確認画面」が表示される（ステップＳ１５）。この画面には「注文の内容を確認してください」とのメッセージと共に、顧客が受付装置Ｒから入力したプリントの詳細と金額とを一覧化した確認シート６５が表示される。そして、この表示内容に誤りがなければＯＫボタン５０を操作することで、オーダ情報と画像データとにＩＤ情報を付与した形態のフォルダが新たに生成され、これらの情報が写真処理装置Ｐに送信される。
【００５６】
「注文内容確認画面」が表示された状態で、ＯＫボタン５０が操作されると、図１３に示す「メディア抜取り案内画面」が表示される（ステップＳ１６）。この画面には「メディアを抜取ってください」とのメッセージが表示され、この表示にしたがいメディアを抜取り、ＯＫボタン５０を操作することで、図１４に示す「受付証発行案内画面」が表示される（ステップＳ１７）。この画面には「受付証を発行中です、しばらくお待ちください」及び「受付証はカウンタに持参してください」のメッセージが表示され、所定の時間が経過すると受付証プリンタ２５で受付証ｒｅがプリントされて送出される（ステップＳ１８）。このように受付証ｒｅが発行されると、受付処理の全てが終了して待機画面に復帰する。
【００５７】
受付証ｒｅは、図１８に示すように、受付証本体と、お客様控えとが連なった形態となっており、お客様名、電話番号、受付ＩＤ、端末ＩＤ、受付日、注文番号等の他に注文の詳細を示す内容がプリントされている。なお、即日に写真のプリントを手渡せない場合には、受付証本体と、お客様控えとを切り離し、受付証本体をＤＰ店の控えとして残し、お客様控えを顧客に手渡す処理も可能にしている。
【００５８】
以上説明したように、本実施の形態の受付装置Ｒを含むデジタル画像処理システムでは、メディアドライブ２４によって読み出された画像データファイルに係る画像の画素数が、顧客によって選択されたプリントサイズの写真プリントの作成に適さない場合には、これらの複数の画像がこのプリントサイズの領域内に配置された写真プリントが作成される。そのため、顧客によって選択されたプリントサイズに対して非常に少ない画素数の画像に関しても、高画質の写真プリントの作成が行われる。また、画素数が少ない画像に対して、再度、プリントサイズの選択をやり直す必要がない。
【００５９】
また、判断部８５では、各画像の画素数がプリントサイズ毎の画素数の適正範囲内であるかによって、各画像の画素数が、顧客によって選択されたプリントサイズの写真プリントの作成に適するか否かを容易に判断することができる。
【００６０】
また、顧客によって選択されたプリントサイズの写真プリントの作成に適さない画素数の画像に関して、適正なプリントサイズが自動的に決定されるので、これらの画像の品質が低下するのを防止することができる。
【００６１】
また、画像配置部８７による複数の画像の配置を示す「画像配置確認画面」によって、完成した写真プリントにおける画像の配置をあらかじめ確認することができる。
【００６２】
以上、本発明の好適な実施の形態について説明したが、本発明は上述の実施の形態に限られるものではなく、特許請求の範囲に記載した限りにおいて様々な設計変更が可能なものである。例えば、上述の実施の形態では、画像の画素数が、顧客によって選択されたプリントサイズに適さない画像がある場合に、これらの互いに異なる複数の画像がプリントサイズの領域内に配置された１枚の写真プリントが作成されているが、画像の画素数が、顧客によって選択されたプリントサイズに適さない画像がある場合に、この１つの画像がプリントサイズの領域内に複数配置された１枚の写真プリントが作成されてもよい。従って、上述の例では、図１９の「画像配置確認画面」に示すように、ファイル番号００１、００２、００６、００７の４個の画像に関しては、各画像を１個ずつ含む２Ｌサイズの４枚の写真プリントが作成されると共に、ファイル番号００３〜００５、００８の４個の画像に関しては、各画像を４個ずつ含む２Ｌサイズの４枚の写真プリントが作成されてもよい。
【００６３】
また、上述の実施の形態では、画像配置部８７による複数の画像の配置を示す「画像配置確認画面」が表示されるが、「画像配置確認画面」は表示されなくてもよい。
【図面の簡単な説明】
【００６４】
【図１】本発明の実施の形態に係るプリント注文受付装置を含むデジタル画像処理システムの外観斜視図である。
【図２】図１に示すデジタル画像処理システムの構成を示す図である。
【図３】図１に示す受付装置の構成を示す図である。
【図４】受付装置のコントローラの構成を示すブロック図である。
【図５】受付装置におけるプリント注文の受付の手順を示すフローチャートである。
【図６】注文受付の際に受付装置のディスプレイに表示される表示画面の一例を示す図である。
【図７】注文受付の際に受付装置のディスプレイに表示される表示画面の一例を示す図である。
【図８】注文受付の際に受付装置のディスプレイに表示される表示画面の一例を示す図である。
【図９】注文受付の際に受付装置のディスプレイに表示される表示画面の一例を示す図である。
【図１０】注文受付の際に受付装置のディスプレイに表示される表示画面の一例を示す図である。
【図１１】注文受付の際に受付装置のディスプレイに表示される表示画面の一例を示す図である。
【図１２】適正画素数記憶部に記憶された内容を示す図である。
【図１３】画素数検知部で検知された各画像の画素数を示す図である。
【図１４】注文受付の際に受付装置のディスプレイに表示される表示画面の一例を示す図である。
【図１５】注文受付の際に受付装置のディスプレイに表示される表示画面の一例を示す図である。
【図１６】注文受付の際に受付装置のディスプレイに表示される表示画面の一例を示す図である。
【図１７】注文受付の際に受付装置のディスプレイに表示される表示画面の一例を示す図である。
【図１８】受付証の一例を示す図である。
【図１９】注文受付の際に受付装置のディスプレイに表示される表示画面の他の例を示す図である。
【符号の説明】
【００６５】
Ｒ  プリント注文受付装置
Ｐ  写真処理装置
２２  タッチパネル
２３  ディスプレイ
２４  メディアドライブ（読み出し部）
８１  画像データ記憶部
８２  パラメータ取得部
８３  画素数検知部
８４  適正画素数記憶部（適正画素数記憶手段）
８５  判断部（判断手段）
８６  プリントサイズ決定部（プリントサイズ決定手段）
８７  画像配置部（画像配置手段）
８８  合成画像データ作成部（合成画像データ作成手段）
８９  制御部（画像配置表示制御手段）
【図１】
2006310956.tif 000003
【図２】
2006310956.tif 000004
【図３】
2006310956.tif 000005
【図４】
2006310956.tif 000006
【図５】
2006310956.tif 000007
【図６】
2006310956.tif 000008
【図７】
2006310956.tif 000009
【図８】
2006310956.tif 000010
【図９】
2006310956.tif 000011
【図１０】
2006310956.tif 000012
【図１１】
2006310956.tif 000013
【図１２】
2006310956.tif 000014
【図１３】
2006310956.tif 000015
【図１４】
2006310956.tif 000016
【図１５】
2006310956.tif 000017
【図１６】
2006310956.tif 000018
【図１７】
2006310956.tif 000019
【図１８】
2006310956.tif 000020
【図１９】
2006310956.tif 000021